(57)【要約】      （修正有）【課題】耳掛け部に挿通された調整部が耳掛け部から抜け難いマスクを提供する。【解決手段】マスク１は、着用者の顔の一部を覆う本体部１０と、本体部１０の左右端と接続して着用者の耳に掛けられる一対の耳掛け部２０であって、各耳掛け部２０の両端が本体部１０の左右端に接続する紐状を有する耳掛け部２０と、各耳掛け部２０を構成する第１紐部および第２紐部が挿通される挿通孔が形成された調整部であって、第１紐部２１と第２紐部２２とが束ねられて挿通孔に挿通されることで、調整部３０を境界として、耳掛け部２０の両端を含む耳掛け領域２０Ａと、その他の調整領域２０Ｂとに、耳掛け部２０を区画する調整部３０とを備え、調整領域２０Ｂの一部分である第３紐部２３と第３紐部２３とは異なる部分である第４紐部２４とは、第３紐部２３と第４紐部２４とにかけて施されたステッチによって剛性を高めつつ接続される。【選択図】図１
0003229291.tif 000002
【実用新案登録請求の範囲】
【請求項１】
着用者の顔の一部を覆う本体部と、
前記本体部の左右端と接続して着用者の耳に掛けられる一対の耳掛け部であって、各耳掛け部の両端が前記本体部の左右端に接続する紐状を有する前記耳掛け部と、
前記耳掛け部を構成する第１紐部および第２紐部が挿通される挿通孔が形成された調整部であって、前記第１紐部と前記第２紐部とが束ねられて前記挿通孔に挿通されることで、前記調整部を境界として、前記耳掛け部の前記両端を含む耳掛け領域と、その他の調整領域とに、前記耳掛け部を区画する前記調整部とを備え、
前記調整領域の一部分である第３紐部と前記第３紐部とは異なる部分である第４紐部とは、前記第３紐部と前記第４紐部とにかけて施されたステッチによって剛性を高めつつ接続されている
マスク。
【請求項２】
前記ステッチは、バータックである
請求項１に記載のマスク。
【請求項３】
前記挿通孔は、前記調整部の一方の端部に形成された第１開口部と、他方の端部に形成された第２開口部とを結ぶ貫通孔であり、
前記耳掛け部は、弾性変形することで径方向に圧縮可能な紐であり、また、前記挿通孔に対して前記第２開口部から導入されるとともに前記第１開口部から導出され、
前記第１開口部の大きさは、圧縮する前の前記耳掛け部の前記第１紐部の断面積と前記第２紐部の断面積の合計よりも小さい
請求項１または２に記載のマスク。
【請求項４】
前記第２開口部の大きさは、圧縮する前の前記耳掛け部の前記第１紐部の断面積と前記第２紐部の断面積の合計よりも大きい
請求項３に記載のマスク。
【請求項５】
前記挿通孔は、前記第１開口部と前記第２開口部との間において、前記第２開口部よりも広がる形状を有する
請求項４に記載のマスク。
【考案の詳細な説明】
【技術分野】
【０００１】
本考案は、マスクに関する。
【背景技術】
【０００２】
一対の紐状の耳掛け部を備え、着用者の耳に耳掛け部が掛けられることで口と鼻とを覆うマスクにおいて、耳掛け部の長さを調整する調整部を備えるマスクが知られている（例えば、特許文献１参照）。調整部に耳掛け部が束ねて挿通され、調整部の位置を変更することで、耳掛け部のうち耳に掛けられる部分の長さを調整する。
【先行技術文献】
【特許文献】
【０００３】
【特許文献１】特開２０００−２８８１０７号公報
【考案の概要】
【考案が解決しようとする課題】
【０００４】
しかしながら、上述のマスクでは、調整部が耳掛け部から抜ける恐れがあった。
本考案の目的は、耳掛け部に挿通された調整部が耳掛け部から抜け難いマスクを提供することにある。
【課題を解決するための手段】
【０００５】
上記課題を解決するためのマスクは、着用者の顔の一部を覆う本体部と、前記本体部の左右端と接続して着用者の耳に掛けられる一対の耳掛け部であって、各耳掛け部の両端が前記本体部の左右端に接続する紐状を有する前記耳掛け部と、前記耳掛け部を構成する第１紐部および第２紐部が挿通される挿通孔が形成された調整部であって、前記第１紐部と前記第２紐部とが束ねられて前記挿通孔に挿通されることで、前記調整部を境界として、前記耳掛け部の前記両端を含む耳掛け領域と、その他の調整領域とに、前記耳掛け部を区画する前記調整部とを備え、前記調整領域の一部分である第３紐部と前記第３紐部とは異なる部分である第４紐部とは、前記第３紐部と前記第４紐部とにかけて施されたステッチによって剛性を高めつつ接続されている。
【０００６】
上述した構成によれば、第３紐部と第４紐部とがステッチによって剛性を高めつつ接続されるため、第３紐部と第４紐部とが、挿通孔の形に合わせた変形をし難くなり、結果として、調整部が耳掛け部から抜け難くなる。
【０００７】
上記マスクにおいて、前記ステッチは、バータックであってもよい。上述した構成によれば、第３紐部と第４紐部とを容易に接続することが可能ともなる。
上記マスクにおいて、前記挿通孔は、前記調整部の一方の端部に形成された第１開口部と、他方の端部に形成された第２開口部とを結ぶ貫通孔であり、前記耳掛け部は、弾性変形することで径方向に圧縮可能な紐であり、また、前記第２開口部から前記挿通孔に導入されるとともに前記第１開口部から前記挿通孔から導出され、前記第１開口部の大きさは、圧縮する前の前記耳掛け部の第１紐部の断面積と第２紐部の断面積の合計よりも小さくともよい。
【０００８】
上述した構成によれば、耳掛け部の第１紐部と第紐２部とは、挿通孔の第１開口部において、圧縮された状態で挿通される。そのため、耳掛け部と挿通孔との間に発生する摩擦力が大きくなり、調整部がさらに抜け難くなる。
【０００９】
上記マスクにおいて、前記第２開口部の大きさは、圧縮する前の前記耳掛け部の第１紐部の断面積と第２紐部の断面積の合計よりも大きくてもよい。
上述した構成によれば、耳掛け部を容易に挿通部に挿通することが可能となる。
【００１０】
上記マスクにおいて、前記挿通孔は、第１開口部と前記第２開口部との間において、前記第２開口部よりも広がる形状を有してもよい。
上述した構成によれば、第１開口部と第２開口部との間における挿通孔が広がる部分において、挿通孔に挿通された耳掛け部が膨らむため、調整部がさらに抜け難くなる。
【図面の簡単な説明】
【００１１】
【図１】マスクの一実施形態を表す斜視図。
【図２】マスクの同実施形態における側面図。
【図３】マスクの同実施形態における調整部の作用を示す側面図。
【図４】マスクの同実施形態における調整部の斜視図。
【図５】マスクの同実施形態における調整部の正面図。
【考案を実施するための形態】
【００１２】
以下、図１〜５を参照して、マスクの一実施形態について説明する。
図１に示すように、マスク１は本体部１０と、本体部１０の左右端と接続する一対の耳掛け部２０と、各耳掛け部２０に挿通される調整部３０とを備える。
【００１３】
本体部１０は、フィルター部１１、上下縁部１２、および、左右縁部１３を備える。フィルター部１１は、着用者の口および鼻を覆う。フィルター部１１は、例えば、着用者の吸気に含まれる埃や花粉、細菌などの物質が着用者の体内に入らないようろ過する。フィルター部１１は、立体縫製されたシート状の布生地として構成される。
【００１４】
例えば、フィルター部１１は２種類の布生地が重ね合わされた構造をしている。着用者の顔に接する内側の布生地は細菌の繁殖を抑える抗菌加工が施され、また、外気に触れる外側の布生地は抗菌加工が施されるとともに紫外線を吸収することで着用者の顔に照射される紫外線の量を抑制するＵＶカット加工が施される。
【００１５】
フィルター部１１は、ポリエステルなどの合成繊維、綿などの天然繊維、またはこれらの混紡繊維を用いた布生地として構成される。例えば、外側の布生地はポリエステルのみを含むインターロックジャージーであり、内側の布生地はポリエステルを６５％、綿を３５％の割合で含むインターロックジャージーである。
【００１６】
上下縁部１２と左右縁部１３とは、フィルター部１１の外縁に接続された布生地である。上下縁部１２は、フィルター部１１の上下の外縁に接続する。左右縁部１３は、フィルター部１１の左右の外縁に接続する。上下縁部１２と左右縁部１３とによって、フィルター部１１の外縁は全周にわたって強度が高められる。
【００１７】
本体部１０の左右において、それぞれ耳掛け部２０が接続する。耳掛け部２０は、両端が本体部１０に接続する紐状の布生地である。耳掛け部２０が着用者の耳に掛けられることで、マスク１は着用者の顔に取り付けられる。
【００１８】
耳掛け部２０は、上下縁部１２から連続して形成された一連の布生地として構成される。耳掛け部２０は、伸縮性を有する紐状の布生地であり、外力を受けて弾性変形することで延在方向および径方向に伸縮できる。耳掛け部２０を構成する布生地は、例えば、フィルター部１１の外側の布生地と同様の、ポリエステルのみを含むインターロックジャージーである。
【００１９】
調整部３０は、耳掛け部２０の両端を含み耳が掛けられる領域である耳掛け領域２０Ａと、それ以外の調整領域２０Ｂとに、耳掛け部２０を区画するとともに、耳掛け領域２０Ａの大きさを調整する。図４、図５に示すように、調整部３０は、一対の側面３０Ａと、一対の側面３０Ａの外周を接続する端面３０Ｂを有する板状の部材である。側面３０Ａは、例えば、円形を有する。このとき、調整部３０は円盤状の部材である。側面３０Ａの形状は円形に限らず、楕円形や多角形などその他の幾何学形状であってもよい。調整部３０は、耳掛け部２０を構成する第１紐部２１および第２紐部２２が挿通される挿通孔３１が形成される。
【００２０】
図４、図５に示すように、挿通孔３１は、調整部３０の一方の端部に形成された第１開口部３１Ａと、他方の端部に形成された第２開口部３１Ｂとを結ぶ貫通孔である。第１開口部３１Ａと第２開口部３１Ｂとはそれぞれ端面３０Ｂ上に形成される。耳掛け部２０の一部分である第１紐部２１と、第１紐部２１とは異なる部分である第２紐部２２とが束ねられて挿通孔３１に挿通される。耳掛け部２０は、挿通孔３１に対して、第２開口部３１Ｂから挿通孔３１に導入されるとともに、第１開口部３１Ａから導出される。
【００２１】
第１開口部３１Ａの大きさは、圧縮する前の耳掛け部２０の第１紐部２１の断面積と第２紐部２２の断面積の合計よりも小さい。そのため、調整部３０の挿通孔３１に耳掛け部２０が挿通されるとき、耳掛け部２０は、第１開口部３１Ａの形状に合わせて変形し、そして、径方向に圧縮された状態で、第１開口部３１Ａを通過する。圧縮された耳掛け部２０は、径方向に膨張しようとするため、第１開口部３１Ａの内側面に対して常時弾性力を加える状態で第１開口部３１Ａに接する。
【００２２】
また、第２開口部３１Ｂの大きさは、圧縮する前の耳掛け部２０の第１紐部の断面積と第２紐部２２の断面積の合計よりも大きい。そのため、調整部３０の挿通孔３１に耳掛け部が挿通されるとき、耳掛け部２０は、第２開口部の形状に合わせて変形して、第２開口部３１Ｂを通過する。
【００２３】
そして、調整部３０の側面３０Ａに対向する位置から見て、挿通孔３１は、第１開口部３１Ａと第２開口部３１Ｂとを結ぶ弧状の曲線を形成する。挿通孔３１は、第１開口部３１Ａと第２開口部３１Ｂとの間において、第２開口部３１Ｂよりも広がる形状を有する。換言すると、調整部３０の側面３０Ａに対向する位置から見て、挿通孔３１は、第１開口部３１Ａおよび第２開口部３１Ｂよりも幅が広い幅広部を有する。そのため、耳掛け部２０のうち第１開口部３１Ａと第２開口部３１Ｂとの間に位置する部分は、第１開口部３１Ａまたは第２開口部３１Ｂを通過する部分と比べて、変形が解除されて膨らむ。
【００２４】
第１紐部２１と第２紐部２２とが挿通孔３１に挿通されたとき、耳掛け部２０のうち、調整部３０を境界として、耳掛け部２０の両端を含む領域が耳掛け領域２０Ａであり、耳掛け領域２０Ａ以外のその他の領域が調整領域２０Ｂである。
【００２５】
耳掛け領域２０Ａは、耳掛け部２０のうち、着用者の耳が掛けられる領域である。本体部１０の左右縁部１３と、本体部１０の左右に接続する各耳掛け部２０の耳掛け領域とによって区画された空間として、本体部１０の左右にそれぞれ開口が形成される。当該開口に着用者の耳が入り込み、各耳掛け部２０の耳掛け領域が耳に掛けられることで、マスク１は着用者の顔に固定される。
【００２６】
調整領域２０Ｂは、耳掛け部２０のうちの耳掛け領域２０Ａ以外の領域である。調整領域２０Ｂの一部分である第３紐部２３と、第３紐部２３とは異なる部分である第４紐部２４とは、第３紐部２３と第４紐部２４とにかけて施されたバータック２５によって接続されている。バータック２５は、棒状に施されたステッチであって、ステッチを構成する糸によって第３紐部２３と第４紐部２４とを圧し潰した状態で固定する。バータック２５によって、第３紐部２３と第４紐部２４とは、剛性を高めつつ接続されている。
【００２７】
耳掛け部２０のうち調整部３０に挿通される部分である被挿通部は、耳掛け部２０の両端から、バータック２５との間で変更できる。調整部３０に挿通される部分を変更することで、耳掛け部２０の耳掛け領域２０Ａの大きさと調整領域２０Ｂの大きさとは調整される。
【００２８】
例えば、被挿通部が、本体部１０から離れた位置（図２）から、より本体部１０に近い位置（図３）に移動することで、耳掛け領域は小さくなり、調整領域２０Ｂは大きくなる。換言すると、耳掛け部２０のうちの耳掛け領域２０Ａに属する部分が、挿通孔３１を通過して調整領域２０Ｂに移動することで、調整領域２０Ｂの大きさは小さくなる。このとき、耳掛け部２０のうちの当該部分は、耳掛け領域２０Ａ側から第１開口部３１Ａに向けて近づく。
【００２９】
一方、被挿通部が、本体部１０に近い位置（図３）から、より本体部１０から遠い位置（図３）に移動することで、耳掛け領域の大きさは大きくなり、調整領域２０Ｂは小さくなる。換言すると、耳掛け部２０のうちの調整領域２０Ｂに属する部分が、挿通孔３１を通過して耳掛け領域２０Ａに移動することで、耳掛け領域２０Ａの大きさは大きくなる。このとき、耳掛け部２０のうちの当該部分は、調整領域２０Ｂ側から第１開口部３１Ａに向けて近づく。
【００３０】
調整部３０が本体部１０から遠ざかる方向に移動して第３紐部２３と第４紐部２４とに接したとき、第３紐部２３と第４紐部２４とは、耳掛け部のうちのその他の部分に比べて、第１開口部３１Ａの形状に従って変形し難い。
【００３１】
すなわち、第３紐部２３と第４紐部とはその他の部分に比べて挿通孔３１の第１開口部３１Ａに入り込みがたいため、調整部３０は第３紐部２３と第４紐部２４とを超えて本体部１０から遠ざかる方向へは移動し難い。
【００３２】
以上、上述した実施形態によれば、以下の効果を得ることが出来る。
（１）調整領域２０Ｂのうちの一部分である第３紐部２３と第３紐部２３とは異なる部分である第４紐部２４とは、第３紐部２３と第４紐部２４とにかけて施されたバータック２５によって剛性を高めつつ接続される。そのため、調整部３０が本体部１０から遠ざかる方向に移動したとき、第３紐部２３と第４紐部２４とは挿通孔３１に入り込みがたい。結果として、調整部３０が第３紐部２３と第４紐部２４とを超えて本体部１０から遠ざかる方向へは移動し難いため、調整部３０が耳掛け部２０から抜け難くなる。
【００３３】
（２）第１開口部３１Ａの大きさは、圧縮する前の第１紐部２１の断面積と第２紐部２２の断面積の合計よりも小さい。そのため、耳掛け部２０の第１紐部２１と第２紐部２２とは、挿通孔３１の第１開口部３１Ａにおいて、圧縮された状態で挿通される。結果として、耳掛け部２０と挿通孔３１との間に発生する摩擦力が大きくなり、調整部３０が耳掛け部２０からさらに抜け難くなる。
【００３４】
（３）第２開口部３１Ｂの大きさは、圧縮する前の耳掛け部２０の第１紐部２１の断面積と第２紐部２２の断面積の合計よりも大きい。そのため、調整部３０の挿通孔３１に耳掛け部２０を容易に挿通することが可能となる。
【００３５】
（４）調整部３０は、側面３０Ａに対向する位置から見て、挿通孔３１が、第１開口部３１Ａと第２開口部３１Ｂとを結ぶ弧状の曲線を形成する。そのため、挿通孔３１が第１開口部３１Ａと第２開口部３１Ｂとを結ぶ直線を形成する場合と比べて、調整部３０における挿通孔３１が占める体積が大きくなり、結果として、調整部３０の重量を軽減することが可能となる。
【００３６】
（５）挿通孔３１は、第１開口部３１Ａと第２開口部３１Ｂとの間において、第２開口部３１Ｂよりも広がる形状を有する。そのため、第１開口部３１Ａと第２開口部３１Ｂとの間における挿通孔３１が広がる部分において、挿通孔３１に挿通された耳掛け部２０が膨らみ、耳掛け部２０と調整部３０との引っかかりを生むため、調整部３０がさらに抜け難くなる。
【００３７】
また、上述した実施形態は以下のように変更して実施することができる。
・マスク１は、着用者の口と鼻とを覆う構成に限らず、着用者の顔の一部を覆う構成であればよい。上述した構成であったとしても、上記（１）に準じた効果を得ることは出来る。
【００３８】
・耳掛け部２０の第３紐部２３と第４紐部２４とは、棒状のステッチであるバータック２５によって接続される構成に限られない。第３紐部２３と第４紐部２４とがステッチによって剛性を高められつつ接続される構成であれば、ステッチの形状はいかなる形状であってもよい。上述した構成であったとしても、上記（１）に準じた効果を得ることは出来る。
【００３９】
・フィルター部１１は、合成繊維や天然繊維を用いて織られた布生地に限らず、不織布やウレタンフォームのような通気性を有するシート状の材料であればよい。
・耳掛け部２０は、延在方向および径方向に伸縮できる構成に限らず、径方向に圧縮可能な紐であればよい。上述した構成であったとしても、上記（１）に準じた効果を得ることはできる。
【符号の説明】
【００４０】
１…マスク
１０…本体部
１１…フィルター部
１２…上下縁部
１３…左右縁部
２０…耳掛け部
２０Ａ…耳掛け領域
２０Ｂ…調整領域
２１…第１紐部
２２…第２紐部
２３…第３紐部
２４…第４紐部
２５…バータック
３０…調整部
３０Ａ…側面
３０Ｂ…端面
３１…挿通孔
３１Ａ…第１開口部
３１Ｂ…第２開口部
【図１】
0003229291.tif 000003
【図２】
0003229291.tif 000004
【図３】
0003229291.tif 000005
【図４】
0003229291.tif 000006
【図５】
0003229291.tif 000007